Podtech/llm-jp-corpus-v4-ja_patent huggingface dataset:
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
患者を治療するためのガイドワイヤーシステムであって、
ボディの壁を貫通する第１の切り欠きを有する当該ボディを含む内部センサマウントハウジングと、
前記内部センサマウントハウジングに固定された心線と、
前記内部センサマウントハウジングに固定され、当該内部センサマウントハウジング内に配置された、患者の生理学的特性を検出するためのセンサアセンブリであって、前記内部センサマウントハウジングの前記第１の切り欠きによって定められる第１のレール上に取り付けられる、センサアセンブリと、
前記内部センサマウントハウジングの周囲に配置された外部ハウジングであって、前記内部センサマウントハウジングの前記第１の切り欠きと連結する第１の開口部を含む、外部ハウジングと、
前記内部センサマウントハウジング及び前記外部ハウジングのうちの少なくとも１つに固定された近位フレキシブル部材と、
前記内部センサマウントハウジング及び前記外部ハウジングのうちの少なくとも１つに固定された第１の遠位フレキシブル部材と、
前記センサアセンブリに電気結合された少なくとも１つの導体であって、前記内部センサマウントハウジングを越えて近位に伸び、前記近位フレキシブル部材を貫通する、少なくとも１つの導体と
を含む、ガイドワイヤーシステム。
【請求項２】
前記内部センサマウントハウジングは、前記ボディの前記壁を貫通する第２の切り欠きを含む、請求項１に記載のガイドワイヤーシステム。
【請求項３】
前記内部センサマウントハウジングは、前記第１及び第２の切り欠きの間に配置された支持部材を含む、請求項２に記載のガイドワイヤーシステム。
【請求項４】
前記センサアセンブリはさらに、前記内部センサマウントハウジングの前記第２の切り欠きによって定められる第２のレール上に取り付けられる、請求項２に記載のガイドワイヤーシステム。
【請求項５】
前記内部センサマウントハウジングの内部は、半田、接着剤、又はこれらの組み合わせを含む第１の充填層、及び、半田、接着剤、又はこれらの組み合わせを含む第２の充填層を含み、前記第２の充填層は、前記第１の充填層の上に配置され、前記第１及び第２のレールよりも位置が高い取り付け面を定め、前記センサアセンブリは前記取り付け面上に取り付けられる、請求項４に記載のガイドワイヤーシステム。
【請求項６】
前記内部センサマウントハウジングの内部は、半田、接着剤、又はこれらの組み合わせによって定められる取り付け面を含み、前記センサアセンブリは前記取り付け面上に取り付けられる、請求項１に記載のガイドワイヤーシステム。
【請求項７】
前記外部ハウジングは、前記センサアセンブリと前記外部ハウジングの外側の環境との間の流体連結を提供する複数の開口部を含む、請求項１に記載のガイドワイヤーシステム。
【請求項８】
前記内部センサマウントハウジングは、ステンレス鋼から形成される、請求項１に記載のガイドワイヤーシステム。
【請求項９】
前記内部センサマウントハウジング、前記外部ハウジング、及び前記第１の遠位フレキシブル部材のうちの少なくとも１つに固定された第２の遠位フレキシブル部材をさらに含む、請求項１に記載のガイドワイヤーシステム。
【請求項１０】
前記近位フレキシブル部材、前記外部ハウジング、前記第１の遠位フレキシブル部材、及び前記第２の遠位フレキシブル部材のうちの少なくとも１つが放射線不透過性材料から形成される、請求項９に記載のガイドワイヤーシステム。
【請求項１１】
前記外部ハウジング及び前記第１の遠位フレキシブル部材は放射線不透過性材料から形成され、前記第２の遠位フレキシブル部材は放射線透過性材料から形成され、前記第２の遠位フレキシブル部材は前記外部ハウジングと前記第１の遠位フレキシブル部材との間に配置される、請求項１０に記載のガイドワイヤーシステム。
【請求項１２】
前記外部ハウジングは放射線不透過性材料から形成され、前記近位フレキシブル部材は第１のセグメント及び第２のセグメントを含み、前記第２のセグメントは放射線不透過性材料から形成され、前記第１のセグメントは放射線透過性材料から形成され、前記第１のセグメントは前記外部ハウジングと前記第２のセグメントとの間に配置される、請求項１０に記載のガイドワイヤーシステム。
【請求項１３】
前記内部センサマウントハウジングは円筒状である、請求項１に記載のガイドワイヤーシステム。
【請求項１４】
前記外部ハウジングは、前記内部センサマウントハウジングの前記第２の切り欠きと連結する第２の開口部をさらに含む、請求項２に記載のガイドワイヤーシステム。
【請求項１５】
前記第１及び第２の開口部は、前記センサアセンブリに対して側方に配置される、請求項１４に記載のガイドワイヤーシステム。
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
人の睡眠品質に関する情報を伝達する睡眠品質データを入力するためのデータインターフェースと、
前記人の睡眠品質を示す睡眠品質指示情報を前記入力された睡眠品質データに基づいて決定する睡眠品質評価ユニットと、
前記人による機械の許可された操作を示す前記人のための機械操作設定情報を前記睡眠品質指示情報に基づいて決定する安全ユニットであって、該機械操作設定情報は、前記機械の操作に対する制限又は制約を示し、前記機械の何の機能が前記人によりアクセスすることができるか及び該機能を何の程度アクセスすることができるかを定めるアクセス可能機能範囲を記述した値を含む、安全ユニットと、
を有する、安全支援システム。
【請求項２】
前記機械と通信すると共に前記機械の操作を前記決定された機械操作設定情報に基づいて制御するための機械インターフェースを更に有する、請求項１に記載の安全支援システム。
【請求項３】
前記睡眠品質データが、前記人による前記機械の意図される操作前の或る期間の間に決定されたデータを含む、請求項１に記載の安全支援システム。
【請求項４】
前記睡眠品質データが、脳波図、眼電図、筋電図、心電図、口及び／又は鼻気流、鼾音量、眼球運動のレベル並びに身体運動のレベルを表す１以上の信号を含んだ前記人の睡眠ポリグラムを含む、請求項１に記載の安全支援システム。
【請求項５】
前記睡眠品質データが、前記人の睡眠期間中の無呼吸及び呼吸低下事象についての直接的又は間接的情報を伝達するデータを含み、
前記睡眠品質評価ユニットが、前記人の無呼吸／呼吸低下指標の推定値を決定する、
請求項１に記載の安全支援システム。
【請求項６】
前記睡眠品質評価ユニットが前記睡眠品質指示情報をニューラルネットワーク解析に基づいて決定する、請求項１に記載の安全支援システム。
【請求項７】
前記安全ユニットが前記決定された睡眠品質指示情報を閾値と比較する、請求項１に記載の安全支援システム。
【請求項８】
前記データインターフェースは前記睡眠品質データに加えて前記人の病状の進展を示す医療履歴データを更に入力し、
前記睡眠品質評価ユニットは前記睡眠品質指示情報を前記入力された睡眠品質データ及び前記医療履歴データに基づいて決定する、
請求項１に記載の安全支援システム。
【請求項９】
前記睡眠品質データを少なくとも部分的に形成する少なくとも１つのセンサ信号をキャプチャするために前記データインターフェースに接続された、
前記人の動きを示すセンサ信号をキャプチャするための加速度センサ、
前記人の目の動きを示すセンサ信号をキャプチャするためのカメラセンサ、
前記人の呼吸を示すセンサ信号をキャプチャするための流量センサ、
前記人の呼吸音を示すセンサ信号をキャプチャするための音響センサ、
前記人の血中酸素飽和度を示すセンサ信号をキャプチャするための血中酸素濃度センサ、及び
前記人のバイタルサインを示すセンサ信号をキャプチャするための光電式容積脈波記録センサ、
のうちの少なくとも１つを更に有する、請求項１に記載の安全支援システム。
【請求項１０】
呼吸可能ガスの加圧流を発生する圧力発生器、
前記呼吸可能ガスの加圧流を前記人に供給するための患者インターフェース、及び
前記人の呼吸を示すセンサ信号をキャプチャするための流量センサ、
を含む圧力支援システムを更に有し、
前記流量センサが前記データインターフェースに接続され、前記センサ信号が前記睡眠品質データを少なくとも部分的に形成する、
請求項１に記載の安全支援システム。
【請求項１１】
前記機械の操作を前記決定された機械操作設定情報に基づいて前記許可された操作に限定するインターロック装置を更に有する、請求項１に記載の安全支援システム。
【請求項１２】
請求項２に記載の安全支援システムと通信すると共に人による前記機械の許可された操作を示す機械操作設定情報を受信するための安全システムインターフェースであって、前記機械操作設定情報が前記機械の何の機能が前記人によりアクセスすることができるか及び該機能を何の程度アクセスすることができるかを定めるアクセス可能機能範囲を記述した値を含む安全システムインターフェースと、
前記機械の操作を前記機械操作設定情報に含まれる前記値に基づいて前記許可された操作に限定するインターロック装置と、
を有する、機械。
【請求項１３】
人の睡眠品質に関する情報を伝達する睡眠品質データを入力するステップと、
前記人の睡眠品質を示す睡眠品質指示情報を前記入力された睡眠品質データに基づいて決定するステップと、
前記人による機械の許可された操作を示す前記人のための機械操作設定情報を前記睡眠品質指示情報に基づいて決定するステップであって、該機械操作設定情報は、前記機械の操作に対する制限又は制約を示し、前記機械の何の機能が前記人によりアクセスすることができるか及び該機能を何の程度アクセスすることができるかを定めるアクセス可能機能範囲を記述した値を含む、ステップと、
を有する、安全支援方法。
【請求項１４】
コンピュータ上で実行された場合に該コンピュータに請求項１３に記載の方法のステップを実行させるプログラムコード手段を有する、コンピュータプログラム。
【手続補正書】
【提出日】平成29年9月18日(2017.9.18)
【手続補正１】
【補正対象書類名】特許請求の範囲
【補正対象項目名】全文
【補正方法】変更
【補正の内容】
【特許請求の範囲】
【請求項１】
本体部と、前記本体部の近位端に形成され流体送達デバイスに連通される近位端ポートと、前記本体部の遠位端に前記近位端ポートと軸方向に連通して形成され、カテーテルを挿通可能なサイズを有する流路遠位端とを含むカテーテルコネクタを患者に固定するための固定具であって、
前記本体部を受容するための内部クレードル空間を画定し、前記内部クレードル空間内に前記本体部を収容したときに、前記本体部の外周面と周方向に係合し、かつ前記本体部の前記遠位端の前記外周面を完全に取り囲む外周壁を有する下側シェル部材と、前記外周壁の近位端に前記外周壁を前記軸方向に貫通して形成され、前記近位端ポートが挿通される近位端溝と、前記外周壁の遠位端に前記流路遠位端と前記軸方向に整合するように前記外周壁を貫通して形成され、前記流路遠位端に挿入されたカテーテルが挿通されるスロットとを含む固定具、および
前記下側シェル部材にヒンジ線でヒンジ結合され、前記カテーテルコネクタを挿入または除去するための開位置と、前記カテーテルコネクタを前記下側シェル部材内に保持するための閉位置との間で変位可能であり、前記閉位置において前記下側シェル部材に解除可能に係止されるカバー部材を含み、
前記外周壁により画定される前記内部クレードル空間内に前記カテーテルコネクタを収容したときに、前記外周壁が前記カテーテルコネクタの前記本体部の前記外周面に対して連続的に係合するように、前記クレードル空間が、前記カテーテルコネクタの前記本体部の形状と一致する形状を有することを特徴とする固定具。
【請求項２】
前記近位端溝が、前記クレードル空間内に前記カテーテルコネクタを収容したときに前記近位端ポートに対して連続的に係合する形状を有することを特徴とする請求項１に記載の固定具。
【請求項３】
前記カバー部材の遠位端に、前記カバー部材の前記閉位置において前記外周壁を越えて延在する第１のリップが形成されており、
前記第１のリップは、前記外周壁の前記スロットと前記軸方向に整合するように形成されたスロットを有することを特徴とする請求項１に記載の固定具。
【請求項４】
前記カバー部材が、
前記カバー部材の前記閉位置において前記外周壁を越えて延在し、前記外周壁から延出する係止スロットに解除可能に係止され、かつ前記ヒンジ線の反対側に配置された第２のリップと、
前記カバー部材の前記閉位置において前記外周壁の近位部分が前記カバー部材により覆われず露出するように、前記ヒンジ線と前記第２のリップとの間に延在する最近位縁部とをさらに含むことを特徴とする請求項３に記載の固定具。
【請求項５】
前記カバー部材が、前記外周壁に対して、前記ヒンジ線、前記第１のリップ、および前記第２のリップにおいて当接するＴ字状の形状を有することを特徴とする請求項４に記載の固定具。
【請求項６】
前記下側シェル部材が、前記外周壁の前記スロットから離間して配置されたカテーテル保持具をさらに含むことを特徴とする請求項１に記載の固定具。
【請求項７】
前記カテーテル保持具が、前記カテーテルを受容するためのアンダーカット部を画定する直立アームを含むことを特徴とする請求項６に記載の固定具。
【請求項８】
前記固定具が、前記下側シェル部材の下面に結合された取付パッドをさらに含み、
前記取付パッドが、患者の皮膚に取り付けるための接着性下面を有することを特徴とする請求項１に記載の固定具。
【請求項９】
当該固定具が、硬い成形品であることを特徴とする請求項１に記載の固定具。
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
被験者の呼吸器疾病を治療するための方法に使用するための精製過酸化水素ガス（ＰＨＰＧ）を含む組成物であって：前記方法は、
０．０１〜７．０百万分率（ｐｐｍ）の最終濃度で、実質的に水和とオゾンを含まず、かつ、少なくとも０．０５単位のＰＨＰＧの供与量を提供する精製過酸化水素ガス（ＰＨＰＧ）を含む治療用の密閉空間を提供する工程と；ついで
少なくとも１つの期間にわたって前記被験者を前記環境に曝す工程と、を含み、
前記治療が、呼吸器感染症の重篤度の低減、呼吸器感染症の持続期間の短縮、アレルギーの重篤度の低減、呼吸器感染症の伝染の防止、集団内での呼吸器感染症の伝染の低減、肺機能の改善、または、それらのいずれかの組み合わせを含む、ことを特徴とする組成物。
【請求項２】
前記肺機能の改善が、静的肺容量の増加、全肺気量の増加、動脈血液ガスの酸素の分圧の上昇、残気量の減少、または、それらのいずれかの組み合わせを含むことを特徴とする、請求項１に記載の被験者の呼吸器疾病を治療するための方法に使用するための組成物。
【請求項３】
前記期間が、連続して少なくとも１５分であることを特徴とする、請求項１に記載の被験者の呼吸器疾病を治療するための方法に使用するための組成物。
【請求項４】
前記期間が、２４時間の期間で少なくとも１５分であることを特徴とする、請求項１に記載の被験者の呼吸器疾病を治療するための方法に使用するための組成物。
【請求項５】
前記期間が、７日間で少なくとも８時間であることを特徴とする、請求項１に記載の被験者の呼吸器疾病を治療するための方法に使用するための組成物。
【請求項６】
曝露の総時間が、少なくとも１時間であることを特徴とする、請求項１に記載の被験者の呼吸器疾病を治療するための方法に使用するための組成物。
【請求項７】
前記曝露を、毎日、毎週、隔週、または、毎月、１回以上反復することを特徴とする、請求項１に記載の被験者の呼吸器疾病を治療するための方法に使用するための組成物。
【請求項８】
前記環境が、０．１ｐｐｍを超える最終濃度でＰＨＰＧを含むことを特徴とする、請求項１に記載の被験者の呼吸器疾病を治療するための方法に使用するための組成物。
【請求項９】
前記期間が、少なくとも１週間にわたって１日当たり少なくとも１時間であることを特徴とする、請求項１に記載の被験者の呼吸器疾病を治療するための方法に使用するための組成物。
【請求項１０】
前記期間が、少なくとも４時間であることを特徴とする、請求項９に記載の被験者の呼吸器疾病を治療するための方法に使用するための組成物。
【請求項１１】
前記曝露の総時間が、１日当たり少なくとも４時間であることを特徴とする、請求項６に記載の被験者の呼吸器疾病を治療するための方法に使用するための組成物。
【請求項１２】
前記被験者を１日当たり０．０５単位のＰＨＰＧの最小供与量に曝すことを特徴とする、請求項１に記載の被験者の呼吸器疾病を治療するための方法に使用するための組成物。
【請求項１３】
被験者の呼吸器疾病の防止、治療、または、管理に適した環境の作成のための精製過酸化水素ガス（ＰＨＰＧ）の使用であって、
実質的に水和とオゾンを含まない過酸化水素ガスを生成する工程と、
環境に前記過酸化水素ガスを供給する工程であって、前記環境が少なくとも０．０１百万分率の最終濃度で前記ＰＨＰＧを蓄積する工程と、を含む使用。
【請求項１４】
前記環境が０．０１ｐｐｍ〜７．０ｐｐｍである最終濃度を含むことを特徴とする、請求項１３に記載の使用。
【請求項１５】
前記環境が０．０１ｐｐｍ〜７．０ｐｐｍである最終濃度を含み、かつ少なくとも０．０５単位のＰＨＰＧの供与量を提供することができることを特徴とする、請求項１３に記載の使用。
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
生体組織の切開及び／又は凝固のための高周波外科用装置（１）において、
運転時に、高周波交流電流を形成するために構成されている高周波発生器（２０）と、
前記高周波外科用装置（１）の出力を、ユーザによって選択された電力値に調整又は制限するために配置及び構成されている電力調整装置（６０）と、
火花電圧を目標火花値に調整又は制限するために配置及び構成されている火花調節装置（７０）と、
を備えており、
前記火花調節装置（７０）は更に、前記目標火花値を、ユーザによって選択された前記電力値に依存して求めるために構成されていることを特徴とする、
高周波外科用装置（１）。
【請求項２】
前記目標火花値が少なくとも特定の値範囲において電力値の増大と共に上昇するように前記目標火花値を求めるために、前記火花調節装置（７０）は配置及び構成されている、
請求項１に記載の高周波外科用装置（１）。
【請求項３】
前記目標火花値が少なくとも特定の値範囲において電力値に比例して上昇するように各目標火花値を求めるために、前記火花調節装置（７０）は配置及び構成されている、
請求項１又は２に記載の高周波外科用装置（１）。
【請求項４】
前記目標火花値が所定の最小火花値（１００）を下回らないように、及び／又は、所定の最大火花値を上回らないように前記目標火花値を求めるために、前記火花調節装置（７０）は配置及び構成されている、
請求項２又は３に記載の高周波外科用装置（１）。
【請求項５】
前記高周波外科用装置（１）は、２つ、３つ又はそれ以上の数の運転モード（Ｃ１，Ｃ２，Ｃ３）を有しており、
各運転モード（Ｃ１，Ｃ２，Ｃ３）に依存して前記目標火花値を求めるために前記火花調節装置（７０）は配置及び構成されている、
請求項１乃至４のいずれかに記載の高周波外科用装置（１）。
【請求項６】
前記運転モードのうちの少なくとも１つの運転モードは、１つ、２つ、３つ又はそれ以上の数の効果モードを有しており、
各効果モードに依存して前記目標火花値を求めるために前記火花調節装置（７０）は配置及び構成されている、
請求項５に記載の高周波外科用装置（１）。
【請求項７】
前記電力値が所定の最小電力値を下回らないように、及び／又は、所定の最大電力値を上回らないように前記電力値を制限するために電力調整装置（６０）が配置及び構成されている、
請求項１乃至６のいずれかに記載の高周波外科用装置（１）。
【請求項８】
１つの最小電力値に１つの特定の目標火花値が対応付けられているように前記目標火花値を求めるために前記火花調節装置（７０）は配置及び構成されている、
請求項１乃至７のいずれかに記載の高周波外科用装置（１）。
【請求項９】
高周波外科用装置の、特に、生体組織の切開及び／又は凝固のために、高周波交流電流が高周波発生器（２０）によって形成される、請求項１乃至８のいずれかに記載の高周波外科用装置（１）の作動方法において、
電力調整装置（６０）によって、前記高周波外科用装置（１）の出力を、ユーザによって選択された電力値に調整し、
火花調節装置（７０）によって、火花電圧の目標火花値を、ユーザによって選択された前記電力値に依存して求め、更に、前記火花電圧を前記火花調節装置（７０）によって前記目標火花値に調整又は制限する、
ことを特徴とする、高周波外科用装置の作動方法。
【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
Ｘ軸及びＹ軸の方向に移動をもたらすように構成されているガントリを備えるフレームであって、前記ガントリは、第１サイドレールと、第２サイドレールと、前記第１サイドレール及び前記第２サイドレールの間に延びるビームとを含んでいて、前記ビームは、Ｙ軸移動を達成するために、前記第１及び第２サイドレールに沿ってＹ軸の方向に移動するように構成されており、前記ガントリは前記ビームに搭載されたキャリッジを更に含んでいて、前記キャリッジは前記ビームの長さに沿ってＸ軸の方向に移動するように構成されている、フレームと、
前記フレームに結合され、前記ガントリの下の少なくとも１つの電子基板を支持するように構成されている支持体と、
前記キャリッジに結合され、材料を供給するように構成されている第１のディスペンサーと、
自動調整機構によって前記キャリッジに結合され、材料を供給するように構成されている第２のディスペンサーと、
前記フレーム及び前記ガントリのうちの一方に結合される撮像装置であって、第１のパターン及び第２のパターンの少なくとも一つの画像を捕捉するように構成され、前記第２のパターンが前記第１のパターンと略同一である、撮像装置と、
前記キャリッジ、前記第１のディスペンサー、前記第２のディスペンサー、前記自動調整機構、及び前記撮像装置の動作を制御するように構成されているコントローラーと、
を備え、前記自動調整機構は、前記第１のディスペンサー及び前記第２のディスペンサーが基板上に材料を供給する供給動作中に、前記第２のディスペンサーを前記Ｘ軸及びＹ軸の方向に移動させ、前記第１のディスペンサーと前記第２のディスペンサーとの間の間隔を操作して調整するように構成されており、
前記自動調整機構は、前記キャリッジに固定されたリニア軸受と、前記リニア軸受上を移動するように構成されて前記第２のディスペンサーに結合されている取付けブロックと、前記取付けブロックを前記リニア軸受に沿って移動させるように構成されている第１のリニア駆動モーター組立体とを含んでいる、供給装置。
【請求項２】
前記第１のリニア駆動モーター組立体が、ボールねじ駆動によるリニアアクチュエーターを含んでおり、前記ボールねじ駆動によるリニアアクチュエーターは機械的に結合されるモーターによって駆動される、請求項１に記載の供給装置。
【請求項３】
前記自動調整機構は、前記取付けブロックに固定されて前記リニア軸受の方向に対して垂直な方向に延びる第１のブラケットと、前記第２のディスペンサーに固定されて前記第１のブラケット上を移動するように構成されている第２のブラケットとを更に備える、請求項１に記載の供給装置。
【請求項４】
前記自動調整機構は、前記第２のブラケットを前記第１のブラケットに沿って移動させるように構成されている第２のリニア駆動モーター組立体を更に備える、請求項３に記載の供給装置。
【請求項５】
前記第２のリニア駆動モーター組立体は、ボールねじ駆動によるリニアアクチュエーターを備え、前記ボールねじ駆動によるリニアアクチュエーターは、機械的に結合されるモーターによって駆動される、請求項４に記載の供給装置。
【請求項６】
前記第１のディスペンサー及び前記第２のディスペンサーのそれぞれについて、Ｚ軸駆動装置が、前記ディスペンサーによる供給動作を実行する際に、前記ディスペンサーを支持するとともに下降させるように構成されている、請求項１に記載の供給装置。
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
塗布ヘッドと、
前記塗布ヘッドに流体的に結合されるモジュラーノズルアセンブリと、
を備える流体塗布装置であって、
前記モジュラーノズルアセンブリは、
材料ストランドを受けるように構成されている少なくとも１つのガイドスロットと、
それぞれの材料ストランド上に第１の流体を吐出するように構成されている少なくとも１つのオリフィスと、
該モジュラーノズルアセンブリを貫通する少なくとも１つの固定穴であって、各固定穴は、取外し可能な固定要素を受けるように構成されている、固定穴と、
を有し、
前記モジュラーノズルアセンブリは、モジュラー式接触ノズルアセンブリ及びモジュラー式非接触ノズルアセンブリを具備し、前記モジュラーノズルアセンブリの前記モジュラー式非接触ノズルアセンブリだけが前記塗布ヘッドに固定される第１の状態、及び前記モジュラーノズルアセンブリの前記モジュラー式接触アセンブリだけが前記塗布ヘッドに固定される第２の状態を提供するために、前記モジュラー式接触ノズルアセンブリ及び前記モジュラー式非接触ノズルアセンブリは、他方と交換可能に前記塗布ヘッドに取付け可能であり、
前記モジュラー式非接触ノズルアセンブリはガイドプレートを備え、前記少なくとも１つのガイドスロットが前記ガイドプレートに形成され、前記第１の状態において、前記少なくとも１つのガイドスロットは、少なくとも１つのオリフィスから離間されるとともに、前記ストランドが前記少なくとも１つのオリフィスから所定の距離を置いて離間されて、前記少なくとも１つのオリフィスから吐出された流体が前記距離を越えて前記ストランド上に吐出されるように、前記ストランドを位置決めし、
前記第２の状態において、前記少なくとも１つのガイドスロットが、前記少なくとも１つのオリフィスと整列され、前記少なくとも１つのガイドスロットは、前記流体が前記ストランド上に直接に吐出されるように、前記ストランドを前記少なくとも１つのオリフィスの直近に又は部分的に前記少なくとも１つのオリフィスの内部に位置決めする、
流体塗布装置。
【請求項２】
前記少なくとも１つのガイドスロットは、開放端部及び閉鎖端部を有し、該閉鎖端部は、前記ストランドを前記少なくとも１つのオリフィスに対して位置決めするように構成されている、請求項１に記載の流体塗布装置。
【請求項３】
前記流体塗布装置はアダプターを更に備え、前記モジュラーノズルアセンブリは、少なくとも１つの前記取外し可能な固定要素を用いて前記アダプターに取外し可能に固定される、請求項１に記載の流体塗布装置。
【請求項４】
前記第１の状態において、前記モジュラー式非接触ノズルアセンブリはノズル本体を備え、前記少なくとも１つのオリフィス及び前記少なくとも１つの固定穴は、該ノズル本体に形成され、前記ガイドプレートは、前記ノズル本体とは別個に形成され、前記塗布ヘッドに取外し可能に固定される、請求項１に記載の流体塗布装置。
【請求項５】
前記第２の状態において、前記少なくとも１つのガイドスロットは３つのガイドスロットを有し、及び前記少なくとも１つのオリフィスは３つのオリフィスを有し、各オリフィスはそれぞれのガイドスロットと関連付けられる、請求項１に記載の流体塗布装置。
【請求項６】
前記取外し可能な固定要素は、ねじ付き締結具、カム作動締結具、確実な係止締結具、及び、別個の保持機構を有する２部品締結具のうちの少なくとも１つを含む、請求項１に記載の流体塗布装置。
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
前端部及び後端部を有するバレルと、前記バレルの内側にスライド可能に配置されたプランジャと、前記プランジャの前側に配置された流体チャンバと、前記バレルの後端部にある開口から後方に突出するプランジャハンドルとを有するシリンジに選択的に取付け可能な医療デバイスであって、
前記プランジャの前側に配置されたハブと、前記ハブから側方に離間した引き込みチューブと、前記ハブと前記引き込みチューブとを、互いに対してほぼ一定であって、側方に離間するように相互接続するフレーム部材とを備えるハブアセンブリと、
前記ハブから前方に突出するノーズと、
前記ノーズの内側に据え付けられており、後方に付勢された針引き込み機構と、
前記ノーズの前方に突出する引き込み可能な針と、
前記流体チャンバから前記ハブ、前記ノーズ、前記針引き込みアセンブリ、及び前記針を通る流体流路と、
を備えており、
前記ハブ及び前記バレルが前記針及び前記針引き込み機構と同軸状に揃えられている第１位置から、前記引き込みチューブが前記針及び前記針引き込み機構と同軸状に揃えられている第２位置へと、前記バレル及び前記ハブアセンブリは、前記ノーズに対して円弧にわたって使用者によって手動で回転して、前記針引き込み機構が、前記針がもはや前記ノーズの前方に突出しないように、前記針を前記引き込みチューブへと後方に押すことを可能としており、
前記フレーム部材は、前記ハブと前記引き込みチューブとに近接して配置されたオリフィスを備えており、前記ノーズは、後方に延びるボスを備えており、前記ボスは、前記オリフィスを通って挿入されて、前記フレーム部材に回転可能に係合するように嵌め込まれる、医療デバイス。
【請求項２】
前端部及び後端部を有するバレルと、前記バレルの内側にスライド可能に配置されたプランジャと、前記プランジャの前側に配置された流体チャンバと、前記バレルの後端部にある開口から後方に突出するプランジャハンドルとを有するシリンジに選択的に取付け可能な医療デバイスであって、
前記プランジャの前側に配置されたハブと、前記ハブから側方に離間した引き込みチューブと、前記ハブと前記引き込みチューブとを、互いに対してほぼ一定であって、側方に離間するように相互接続するフレーム部材とを備えるハブアセンブリと、
前記ハブから前方に突出するノーズと、
前記ノーズの内側に据え付けられており、後方に付勢された針引き込み機構と、
前記ノーズの前方に突出する引き込み可能な針と、
前記流体チャンバから前記ハブ、前記ノーズ、前記針引き込みアセンブリ、及び前記針を通る流体流路と、
を備えており、
前記ハブ及び前記バレルが前記針及び前記針引き込み機構と同軸状に揃えられている第１位置から、前記引き込みチューブが前記針及び前記針引き込み機構と同軸状に揃えられている第２位置へと、前記バレル及び前記ハブアセンブリは、前記ノーズに対して円弧にわたって使用者によって手動で回転して、前記針引き込み機構が、前記針がもはや前記ノーズの前方に突出しないように、前記針を前記引き込みチューブへと後方に押すことを可能としており、
前記ノーズは、径方向に突出する安定タブを更に備えており、前記安定タブは、使用者によって掴まれて、前記第１位置から前記第２位置まで前記バレル及び前記ハブアセンブリが回転する間、患者に対してほぼ一定の位置に前記ノーズを保持し、
前記安定タブが前記使用者によって掴まれて、前記第１位置から前記第２位置まで前記バレル及び前記ハブアセンブリが回転している間、前記バレル及び前記ハブアセンブリが、前記バレルの後端部側から見て、前記ノーズに対して時計回りで回転するように、前記ノーズ及び前記ハブアセンブリは構成されて協働する、医療デバイス。
【請求項３】
前端部及び後端部を有するバレルと、前記バレルの内側にスライド可能に配置されたプランジャと、前記プランジャの前側に配置された流体チャンバと、前記バレルの後端部にある開口から後方に突出するプランジャハンドルとを有するシリンジに選択的に取付け可能な医療デバイスであって、
前記プランジャの前側に配置されたハブと、前記ハブから側方に離間した引き込みチューブと、前記ハブと前記引き込みチューブとを、互いに対してほぼ一定であって、側方に離間するように相互接続するフレーム部材とを備えるハブアセンブリと、
前記ハブから前方に突出するノーズと、
前記ノーズの内側に据え付けられており、後方に付勢された針引き込み機構と、
前記ノーズの前方に突出する引き込み可能な針と、
前記流体チャンバから前記ハブ、前記ノーズ、前記針引き込みアセンブリ、及び前記針を通る流体流路と、
を備えており、
前記ハブ及び前記バレルが前記針及び前記針引き込み機構と同軸状に揃えられている第１位置から、前記引き込みチューブが前記針及び前記針引き込み機構と同軸状に揃えられている第２位置へと、前記バレル及び前記ハブアセンブリは、前記ノーズに対して円弧にわたって使用者によって手動で回転して、前記針引き込み機構が、前記針がもはや前記ノーズの前方に突出しないように、前記針を前記引き込みチューブへと後方に押すことを可能としており、
前記ノーズは、径方向に突出する安定タブを更に備えており、前記安定タブは、使用者によって掴まれて、前記第１位置から前記第２位置まで前記バレル及び前記ハブアセンブリが回転する間、患者に対してほぼ一定の位置に前記ノーズを保持し、
前記安全タブが前記使用者によって掴まれて、前記第１位置から前記第２位置まで前記バレル及び前記ハブアセンブリが回転している間、前記バレルの後端部側から見て、前記ノーズに対して反時計回りの前記バレル及び前記ハブアセンブリの回転を制限するように、前記ノーズ及び前記ハブアセンブリは構成されて協働する、医療デバイス。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
PI3Kδ変異を有する患者における、呼吸器感染症の治療もしくは予防、気道障害の治療および/または気道損傷の予防のための医薬組成物であって、式(I)：
【化１】
2016537327.tif 000001
(式中、R1は
【化２】
2016537327.tif 000002
であり、且つR2は
【化３】
2016537327.tif 000003
であるか；またはR1は
【化４】
2016537327.tif 000004
であり、且つR2は
【化５】
2016537327.tif 000005
である)
で表される化合物またはその製薬上許容される塩を含む、前記医薬組成物。
【請求項２】
6-(1H-インドール-4-イル)-4-(5-{[4-(1-メチルエチル)-1-ピペラジニル]メチル}-1,3-オキサゾール-2-イル)-1H-インダゾールまたはその製薬上許容される塩を含む、請求項１に記載の医薬組成物。
【請求項３】
N-[5-[4-(5-{[(2R,6S)-2,6-ジメチル-4-モルホリニル]メチル}-1,3-オキサゾール-2-イル)-1H-インダゾール-6-イル]-2-(メチルオキシ)-3-ピリジニル]メタンスルホンアミドまたはその製薬上許容される塩を含む、請求項１に記載の医薬組成物。
【請求項４】
6-(1H-インドール-4-イル)-4-(5-{[4-(1-メチルエチル)-1-ピペラジニル]メチル}-1,3-オキサゾール-2-イル)-1H-インダゾールヘミスクシネートを含む、請求項１または２に記載の医薬組成物。
【請求項５】
N-[5-[4-(5-{[(2R,6S)-2,6-ジメチル-4-モルホリニル]メチル}-1,3-オキサゾール-2-イル)-1H-インダゾール-6-イル]-2-(メチルオキシ)-3-ピリジニル]メタンスルホンアミドを含む、請求項１または３に記載の医薬組成物。
【請求項６】
PI3Kδ変異を有する患者における、呼吸器感染症の治療もしくは予防が、呼吸器感染症の増悪の治療もしくは予防である、請求項１〜５のいずれか1項に記載の医薬組成物。
【請求項７】
PI3Kδ変異が、PI3Kδタンパク質のアミノ酸配列における1個以上のアミノ酸の置換をもたらす、請求項１〜６のいずれか1項に記載の医薬組成物。
【請求項８】
PI3Kδ変異が、PI3Kδタンパク質の触媒機能ドメインの内側のアミノ酸配列における1個以上のアミノ酸の置換をもたらす、請求項１〜７のいずれか1項に記載の医薬組成物。
【請求項９】
PI3Kδ変異が活性化変異である、請求項１〜８のいずれか1項に記載の医薬組成物。
【請求項１０】
PI3Kδ変異を有する患者における、呼吸器感染症の治療もしくは予防、気道障害の治療および/または気道損傷の予防において使用するための医薬の製造における、請求項１〜５のいずれか1項に定義される化合物またはその製薬上許容される塩の使用。
【請求項１１】
以下のステップ：
a) 患者に由来するサンプルをアッセイするステップ、
b) 患者がPI3Kδ変異を有するか否かを判定するステップ、および
c) 患者がPI3Kδ変異を有する場合、治療有効量の請求項１〜５のいずれか1項に定義される式(I)の化合物またはその製薬上許容される塩を該患者に投与するステップ
を含む、患者における呼吸器感染症の治療もしくは予防、気道障害の治療および/または気道損傷の予防において使用するための、請求項１〜５のいずれか1項に定義される式(I)の化合物またはその製薬上許容される塩を含む、医薬組成物。
【請求項１２】
PI3Kδ変異の存在により特徴付けられる応答者として分類される患者における、呼吸器感染症の治療もしくは予防、気道障害の治療および/または気道損傷の予防において使用するための、請求項１〜５のいずれか1項に定義される式(I)の化合物またはその製薬上許容される塩を含む、医薬組成物。
【請求項１３】
PI3Kδ変異の存在により特徴付けられる応答者として分類される患者における、呼吸器感染症の治療もしくは予防、気道障害の治療および/または気道損傷の予防において使用するための医薬の製造における、請求項１〜５のいずれか1項に定義される式(I)の化合物またはその製薬上許容される塩の使用。
【請求項１４】
患者に由来するサンプルをin vitroでPI3Kδ変異について試験するステップを含み、
PI3Kδ変異の存在が、患者が請求項１〜５のいずれか1項に定義される式(I)の化合物またはその製薬上許容される塩を用いた治療を受けるべきか否かの判定の指標となる、
請求項１〜５のいずれか1項に定義される式(I)の化合物またはその製薬上許容される塩を用いた治療の評価を補助する方法。
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
１５−ＰＧＤＨ酵素の活性の阻害において使用するための１５−ＰＧＤＨ阻害剤を含む医薬組成物であって、前記１５−ＰＧＤＨ阻害剤は、式（Ｖ１）
【化１】
2016537328.tif 000001
［式中、ｎ＝０〜２であり、
Ｒ３は、
【化２】
2016537328.tif 000002
からなる群から選択され、
Ｒ２はＮまたはＣＲ７であり；
Ｒ４は、Ｈ、Ｃｌ、Ｆ、ＮＨ２、およびＮ（Ｒ６）２からなる群から選択され；
Ｒ５は、−（ＣＨ２）ｎ１ＣＨ３（ｎ１＝０〜７）、
【化３】
2016537328.tif 000003
［式中、ｎ２＝０〜６であり、Ｘは、ＣＦｙＨｚ（ｙ＋ｚ＝３）、ＣＣｌｙＨｚ（ｙ＋ｚ＝３）、ＯＨ、ＯＡｃ、ＯＭｅ、Ｒ６、ＯＲ６、ＣＮ、Ｎ（Ｒ６）２、
【化４】
2016537328.tif 000004
（ｎ３＝０〜５、ｍ＝１〜５）、および
【化５】
2016537328.tif 000005
（ｎ４＝０〜５）のいずれかである］を含む分岐または直鎖アルキルからなる群から選択され；
それぞれＲ６およびＲ７は、同じであるかまたは異なり、水素、置換または非置換Ｃ１−Ｃ２４アルキル、Ｃ２−Ｃ２４アルケニル、Ｃ２−Ｃ２４アルキニル、Ｃ３−Ｃ２０アリール、５〜６個の環原子を含むヘテロシクロアルケニル、５〜１４個の環原子を含むヘテロアリール、Ｃ６−Ｃ２４アルカリル、Ｃ６−Ｃ２４アラルキル、ハロ、シリル、ヒドロキシル、スルフヒドリル、Ｃ１−Ｃ２４アルコキシ、Ｃ２−Ｃ２４アルケニルオキシ、Ｃ２−Ｃ２４アルキニルオキシ、Ｃ５−Ｃ２０アリールオキシ、アシル、アシルオキシ、Ｃ２−Ｃ２４アルコキシカルボニル、Ｃ６−Ｃ２０アリールオキシカルボニル、Ｃ２−Ｃ２４アルキルカルボナト、Ｃ６−Ｃ２０アリールカルボナト、カルボキシ、カルボキシラト、カルバモイル、Ｃ１−Ｃ２４アルキルカルバモイル、アリールカルバモイル、チオカルバモイル、カルバミド、シアノ、イソシアノ、シアナト、イソシアナト、イソチオシアナト、アジド、ホルミル、チオホルミル、アミノ、Ｃ１−Ｃ２４アルキルアミノ、Ｃ５−Ｃ２０アリールアミノ、Ｃ２−Ｃ２４アルキルアミド、Ｃ６−Ｃ２０アリールアミド、スルホンアミド（ｓｕｌｆａｎａｍｉｄｏ）、イミノ、アルキルイミノ、アリールイミノ、ニトロ、ニトロソ、スルフォ、スルホナト、Ｃ１−Ｃ２４アルキルスルファニル、アリールスルファニル、Ｃ１−Ｃ２４アルキルスルフィニル、Ｃ５−Ｃ２０アリールスルフィニル、Ｃ１−Ｃ２４アルキルスルホニル、Ｃ５−Ｃ２０アリールスルホニル、スルホンアミド、ホスホノ、ホスホナト、ホスフィナト、ホスホ、ホスフィノ、ポリアルキルエーテル、ホスフェート、ホスフェートエステル、生理的なｐＨで正電荷または負電荷を持つと予測されるアミノ酸またはその他の成分を組み込んだ基、およびこれらの組み合わせからなる群から選択される１つまたは複数の置換基であり；
Ｒ５がブチルである場合Ｒ３は水素ではない；またはＲ５がベンジルもしくは（ＣＨ２）ｎ５（ＣＨ３）（ｎ５＝０〜５）である場合Ｒ３は非置換フェニルではない］を有する化合物および薬学的に許容可能なそれらの塩を含む、組成物。
【請求項２】
Ｒ２がＮまたはＣＨである、請求項１に記載の組成物。
【請求項３】
ｎが１である、請求項１に記載の組成物。
【請求項４】
Ｒ３が、Ｈ、置換もしくは非置換アリール、置換もしくは非置換シクロアルキル、および置換もしくは非置換ヘテロシクリル、アルキル、またはカルボン酸（−ＣＯ２Ｈ）、カルボキシエステル（−ＣＯ２アルキル）およびカルボキサミド［−ＣＯＮ（Ｈ）（アルキル）もしくは−ＣＯ２Ｎ（アルキル）２］を含むカルボキシからなる群から選択される、請求項１に記載の組成物。
【請求項５】
式：
【化６】
2016537328.tif 000006
を有する１５−ＰＧＤＨ阻害剤および薬学的に許容可能なそれらの塩を有する請求項１に記載の組成物。
【請求項６】
前記１５−ＰＧＤＨ阻害剤および薬学的に許容可能なそれらの塩は、式：
【化７】
2016537328.tif 000007
の化合物の（＋）光学異性体から本質的に構成される、請求項１に記載の組成物。
【請求項７】
Ｇ−ＣＳＦ、ＧＭ−ＣＳＦ、ＥＰＯ、ＩＬ−３、ＩＬ−６、ＴＰＯ、ＴＰＯ−ＲＡ（トロンボポエチン受容体アゴニスト）、およびＳＣＦのいずれかをさらに含む、請求項１〜６のいずれか１項に記載の組成物。
【請求項８】
創傷治癒、組織修復、および／または組織再生を促進するために使用される、請求項１に記載の組成物。
【請求項９】
対象において幹細胞を増加させるために使用される、請求項１に記載の組成物。
【請求項１０】
ドナーグラフトとしての骨髄の適応度を高めるため、ドナーグラフトとしての幹細胞調製物の適応度を高めるため、組織グラフト拒絶を緩和させるため、組織および／または骨髄グラフト生着を高めるため、または前駆幹細胞グラフト、造血幹細胞グラフト、または臍帯血幹細胞グラフトの生着を高めるために使用される、請求項１に記載の組成物。
【請求項１１】
放射線療法、化学療法、または免疫抑制療法による対象または前記対象の骨髄の治療後に、前記対象の治療に使用される、請求項１に記載の組成物。
【請求項１２】
骨髄、造血幹細胞、または臍帯血を用いる造血細胞移植後に好中球数を増加させるために使用される、請求項１に記載の組成物。
【請求項１３】
好中球減少症、再生不良性貧血、脊髄形成異常症、骨髄線維症、他の骨髄疾患に起因する好中球減少症、薬物誘発好中球減少症、自己免疫性好中球減少症、特発性好中球減少症、またはウイルス感染後の好中球減少症を有する対象中の好中球数を増加させるために使用される、請求項１に記載の組成物。
【請求項１４】
骨密度を増加させるか、骨粗鬆症を治療するか、骨折の治癒を促進するか、または骨手術もしくは関節置換後の治癒を促進するために使用される、請求項１に記載の組成物。
【請求項１５】
骨対骨移植、骨対人工物移植、歯科インプラント、および骨移植の治癒のために使用される、請求項１に記載の組成物。
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
対象の中型有棘ニューロン（ＭＳＮ）において、ＰＤＥ１０ａ、ＤＡＲＰＰ−３２、ＤＲＤ１および／またはＤＲＤ２のレベルを対照と比較して少なくとも３０％増加させるための組成物であって、ハンチントン病に関連する遺伝子の遺伝子抑制因子を含む、組成物。
【請求項２】
前記ＰＤＥ１０ａ、ＤＡＲＰＰ−３２、ＤＲＤ１および／またはＤＲＤ２のレベルを、前記対照と比較して、少なくとも４０％、もしくは少なくとも５０％、またはそれ超増加させることを特徴とする、請求項１に記載の組成物。
【請求項３】
前記遺伝子抑制因子が、ハンチンチンタンパク質をコードする核酸（例えば、遺伝的ＤＮＡまたはｍＲＮＡ）を阻害する、小分子、核酸またはタンパク質である、請求項１または２に記載の組成物。
【請求項４】
前記遺伝子抑制因子が、ハンチンチンタンパク質をコードする核酸に特異的に結合する、請求項１〜３のいずれかに記載の組成物。
【請求項５】
前記遺伝子抑制因子が、遺伝子操作されたＤＮＡ結合ドメインを含む、請求項１〜４のいずれかに記載の組成物。
【請求項６】
前記ＤＮＡ結合ドメインが、遺伝子操作されたジンクフィンガータンパク質、ＣＲＩＳＰＲ／Ｃａｓ系またはＴＡＬエフェクタードメインを含む、請求項５に記載の組成物。
【請求項７】
前記ＤＮＡ結合ドメインが、機能的ドメインに融合されている、請求項５または６に記載の組成物。
【請求項８】
前記機能的ドメインが、転写抑制ドメインまたはヌクレアーゼである、請求項７に記載の組成物。
【請求項９】
対象の中枢神経系（ＣＮＳ）に投与されることを特徴とする、請求項１〜８のいずれかに記載の組成物。
【請求項１０】
線条体に投与されることを特徴とする、請求項９に記載の組成物。
【請求項１１】
ウイルスベクターまたは非ウイルスベクターを用いて投与されることを特徴とする、請求項１〜１０のいずれかに記載の組成物。
【請求項１２】
前記非ウイルスベクターがアデノ随伴ウイルス（ＡＡＶ）ベクターである、請求項１１に記載の組成物。
【請求項１３】
ハンチントン病を治療するための、請求項１〜１２のいずれかに記載の組成物であって、中型有棘ニューロン（ＭＳＮ）においてＰＤＥ１０ａ、ＤＡＲＰＰ−３２、ＤＲＤ１および／またはＤＲＤ２のレベルを増加させることを特徴とする、組成物。
【手続補正２】
【補正対象書類名】明細書
【補正対象項目名】０２５４
【補正方法】変更
【補正の内容】
【０２５４】
理解の明確さを目的として、例示説明および実施例を用いてある程度詳細に開示を提供してきたが、当業者には、本開示の趣旨または範囲から逸脱することなく、種々の変更および修正が実施され得ることは明白であろう。したがって、前述の説明および実施例は、限定的であると解釈されるべきではない。
例えば、本発明は以下の項目を提供する。
（項目１）
対象の中型有棘ニューロン（ＭＳＮ）において、ＰＤＥ１０ａ、ＤＡＲＰＰ−３２、ＤＲＤ１および／またはＤＲＤ２のレベルを対照と比較して少なくとも３０％増加させる方法であって、該方法は、ハンチントン病に関連する遺伝子の遺伝子抑制因子を該対象に投与する工程を含む、方法。
（項目２）
前記ＰＤＥ１０ａ、ＤＡＲＰＰ−３２、ＤＲＤ１および／またはＤＲＤ２のレベルが、前記対照と比較して、少なくとも４０％、もしくは少なくとも５０％、またはそれ超増加する、項目１に記載の方法。
（項目３）
前記遺伝子抑制因子が、ハンチンチンタンパク質をコードする核酸（例えば、遺伝的ＤＮＡまたはｍＲＮＡ）を阻害する、小分子、核酸またはタンパク質である、項目１または２に記載の方法。
（項目４）
前記遺伝子抑制因子が、ハンチンチンタンパク質をコードする核酸に特異的に結合する、項目１〜３のいずれかに記載の方法。
（項目５）
前記遺伝子抑制因子が、遺伝子操作されたＤＮＡ結合ドメインを含む、項目１〜４のいずれかに記載の方法。
（項目６）
前記ＤＮＡ結合ドメインが、遺伝子操作されたジンクフィンガータンパク質、ＣＲＩＳＰＲ／Ｃａｓ系またはＴＡＬエフェクタードメインを含む、項目５に記載の方法。
（項目７）
前記ＤＮＡ結合ドメインが、機能的ドメインに融合されている、項目５または６に記載の方法。
（項目８）
前記機能的ドメインが、転写抑制ドメインまたはヌクレアーゼである、項目７に記載の方法。
（項目９）
前記遺伝子抑制因子が、対象の中枢神経系（ＣＮＳ）に投与される、項目１〜８のいずれかに記載の方法。
（項目１０）
前記遺伝子抑制因子が線条体に投与される、項目９に記載の方法。
（項目１１）
前記遺伝子抑制因子が、ウイルスベクターまたは非ウイルスベクターを用いて投与される、項目１〜１０のいずれかに記載の方法。
（項目１２）
前記非ウイルスベクターがアデノ随伴ウイルス（ＡＡＶ）ベクターである、項目１１に記載の方法。
（項目１３）
対象においてハンチントン病を治療する方法であって、該方法は、項目１〜１２のいずれかに記載の方法に従って、中型有棘ニューロン（ＭＳＮ）においてＰＤＥ１０ａ、ＤＡＲＰＰ−３２、ＤＲＤ１および／またはＤＲＤ２のレベルを増加させることを含む、方法。
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
式Ｉ
【化１】
2016537338.tif 000001
（式中、
Ｒ２はＮＨ２、（Ｃ１−８アルキル）Ｏ−及びＯＨからなる群から選択され；
Ｒ３は
【化２】
2016537338.tif 000002
からなる群から選択され；及び
Ｒ４はＨ及び
【化３】
2016537338.tif 000003
からなる群から選択され、
Ｒ２がＯＨの場合、Ｒ３は
【化４】
2016537338.tif 000004
ではなく、及び
Ｒ４がＨの場合、Ｒ３は
【化５】
2016537338.tif 000005
ではない）又は
下記式
【化６】
2016537338.tif 000006
の化合物、或いはその医薬的に許容され得る塩、エステルまたはプロドラッグ。
【請求項２】
【化７】
2016537338.tif 000007
からなる群から選択される請求項１に記載の化合物。
【請求項３】
下記式で表される化合物
【化８】
2016537338.tif 000008
或いはその医薬的に許容され得る塩またはプロドラッグ。
【請求項４】
下記式で表される化合物
【化９】
2016537338.tif 000009
或いはその医薬的に許容され得る塩またはプロドラッグ。
【請求項５】
請求項１〜４のいずれかに記載の化合物及び医薬的に許容され得る担体を含む医薬組成物。
【請求項６】
治療有効量の請求項１〜４のいずれかに記載の化合物を投与することを含む中枢神経系（ＣＮＳ）障害または状態の治療の必要がある被験者に対する治療方法。
【請求項７】
前記ＣＮＳ状態は薬物中毒である請求項６に記載の方法。
【請求項８】
前記ＣＮＳ障害は副腎白質ジストロフィー、リー症候群、アルパース病、ＭＥＬＡＳ、ハンチントン病、トリコチロマニア、ＨＩＶ関連神経認知障害、低酸素性虚血性脳症及び統合失調症からなる群から選択される請求項６に記載の方法。
【請求項９】
前記ＣＮＳ障害は統合失調症である請求項６に記載の方法。
【請求項１０】
治療有効量の請求項１〜４のいずれかに記載の化合物を投与することを含むトリコチロマニア治療の必要がある被験者に対する治療方法。